(57)【特許請求の範囲】
【請求項１】
インクを記録ヘッドから吐出し記録を行う記録装置であって、
前記記録ヘッドを密閉するキャップと、前記記録ヘッドから排出されるインクをためる回復桶と、前記回復桶に溜まったインクを吸引させるためのインク吸引口と、前記インク吸引口からインクを吸引するためのチューブと、前記インク吸引口と前記チューブとを接続するジョイントと、前記インク吸引口から前記ジョイントと前記チューブとを介してインクを吸引するためのポンプ手段とを備え、
前記キャップと前記回復桶と前記インク吸引口と前記ジョイントとを一体の回復部材として構成し、
前記回復部材の内側には、前記回復桶の長手方向にそって傾斜して前記記録ヘッドから排出されたインクを前記インク吸引口に集めるための傾斜部を備えた固定部材が配置されており、
前記固定部材は、前記傾斜部に前記回復桶の長手方向にそって溝部が形成されており、その溝部に配置されて前記記録ヘッドから排出されるインクを下方に導くインクガイドと、
前記インクガイドを上方に押し上げるバネと、
前記バネによって押し上げられる前記インクガイドの抜けを防止するストッパと共に、ユニットを構成することを特徴とする記録装置。
【請求項２】
前記傾斜部は、前記回復部材の前記インク吸引口側に向かって傾斜していることを特徴とする請求項１に記載の記録装置。
【発明の詳細な説明】
【０００１】
【発明の属する技術分野】
本発明は、インクを記録ヘッドから吐出して記録を行う記録装置に関するものであり、特に長尺ヘッドを用いた記録装置に関するものである。
【０００２】
【従来の技術】
従来の構成を図５、図６に示す。
【０００３】
図５は従来の構成説明断面図、図６は図５のＡ−Ａ線断面図である。
【０００４】
１０１はキャップ、１０２は回復桶、１０３はインク吸引口、１０４はジョイント、１０５はチューブ、１０６は傾斜部、１０７はインクガイド、１０８ａ、１０８ｂは接着面、１０９はバネ、１１０はストッパ、１１１は記録ヘッド、１１２はクシ歯、である。
【０００５】
キャップ１０１は、回復桶１０２に接着面１０８ａ、１０８ｂで接着されている。
【０００６】
回復桶１０２は、底面に傾斜部１０６を持ち、内部にはインクガイド１０７、バネ１０９が配置されている。
【０００７】
インクガイド１０７は、バネ１０９で上方に付勢され、ストッパ１１０によりそれ以上飛び出ないように構成される。
【０００８】
また、回復桶１０２の片側にインク吸引口１０３が構成され、その先には、ジョイント１０４、チューブ１０５が接続されている。
【０００９】
待機状態、あるいは、回復状態の場合、記録ヘッド１１１はキャップ１０１に当接される。さらに、インクガイド１０７の両端が記録ヘッド１１１に当接され、クシ歯１１２は記録ヘッド１１１から一定距離（約０.５ｍｍ）を保つことができる。
【００１０】
次に、動作を説明する。
【００１１】
待機状態では、このままの状態を維持しており、記録ヘッド１１１は、キャップ１０１で密閉を保たれている。
【００１２】
回復状態の場合、記録ヘッド１１１から排出されるインクは、一定距離を保たれているインクガイド１０７のクシ歯１１２によって下方に導かれ、回復桶１０２底部の傾斜部１０６により、インク吸引口１０３に集められる。
【００１３】
集められたインクは、チューブ１０５の先に配置される図示していないポンプ手段によって吸引され、ジョイント１０４およびチューブ１０５を介して回収される。
【００１４】
【発明が解決しようとする課題】
しかしながら、上述のように、キャップ１０１を回復桶１０２に接着して固定させると、接着という作業性の悪さ、接着面１０８ａ、１０８ｂのはがれによる密閉不良、あるいは、インクのもれを生じ、さらに、ジョイント１０４をインク吸引口１０３とチューブ１０５の両方に接続しなければならない作業性の悪さや、接続不良によるインクのもれといった問題を生じていた。
【００１５】
本発明は、以上のような問題点に鑑みてなされたもので、その目的とする処は、キャップと回復桶との一体化、或いは回復桶とインク吸引口とジョイントとの一体化、更に進めてキャップと回復桶とインク吸引口とジョイントとを一体の回復部材即ち単一部品として成型すること等により、キャップと回復桶の接着を廃止し、ジョイント接続の工数を削減することで、インクのもれが無く、かつ、大幅に製造効率をアップすることができる記録装置を提供することにある。
【００１６】
【課題を解決するための手段】
このため、本発明においては、下記の（１）〜（２）項のいずれかに示す記録装置を提供することにより、前記目的を達成しようとするものである。
【００１７】
（１）インクを記録ヘッドから吐出し記録を行う記録装置であって、前記記録ヘッドを密閉するキャップと、前記記録ヘッドから排出されるインクをためる回復桶と、前記回復桶に溜まったインクを吸引させるためのインク吸引口と、前記インク吸引口からインクを吸引するためのチューブと、前記インク吸引口と前記チューブとを接続するジョイントと、前記インク吸引口から前記ジョイントと前記チューブとを介してインクを吸引するためのポンプ手段とを備え、前記キャップと前記回復桶と前記インク吸引口と前記ジョイントとを一体の回復部材として構成し、前記回復部材の内側には、前記回復桶の長手方向にそって傾斜して前記記録ヘッドから排出されたインクを前記インク吸引口に集めるための傾斜部を備えた固定部材が配置されており、前記固定部材は、前記傾斜部に前記回復桶の長手方向にそって溝部が形成されており、その溝部に配置されて前記記録ヘッドから排出されるインクを下方に導くインクガイドと、前記インクガイドを上方に押し上げるバネと、前記バネによって押し上げられる前記インクガイドの抜けを防止するストッパと共に、ユニットを構成することを特徴とする記録装置。
【００１８】
（２）前記傾斜部は、前記回復部材の前記インク吸引口側に向かって傾斜していることを特徴とする前項（１）に記載の記録装置。
【００２４】
【発明の実施の形態】
以下に、本発明の実施形態を、実施例に基づき詳細に説明する。
【００２５】
【実施例】
図１、図２（ａ）、図２（ｂ）に、本発明の構成を示す。
【００２６】
図１は本発明の構成説明断面図、図２（ａ）は図１のＢ−Ｂ線断面図、図２（ｂ）は図１のＣ−Ｃ線断面図、である。
【００２７】
１１１は記録ヘッドで、複数のインク吐出部（ノズル）をもち、各々についているノズルヒータを記録データに基いて選択的に加熱することにより、ノズルから記録媒体にインクを吐出し記録動作を行う。
【００２８】
１はキャップで、記録動作していない状態（待機状態）の時に記録ヘッド１１１を密閉することによりインク吐出部の乾きを防止する役割をもつ。
【００２９】
２は回復桶で、記録ヘッド１１１のインク吐出部（ノズル部）を記録動作時に常に健全な状態に保つための回復動作で使ったインクを、一時的に受容する機能を持つ。ここでいう回復動作とは、例えば記録動作を開始する直前に全てのノズルから予備的にインクを回復桶内に吐出させる動作、或いは、比較的長期間記録動作していなかった場合に、ここには描かれていないポンプ等を用いて記録ヘッド１１１内部を加圧し、全ノズルから強制的にインクを回復桶２側に押し出し、インクの固着部等を健全な状態に戻す動作をさす。
【００３０】
３はインク吸引口、４はジョイントである。
【００３１】
インク吸引口３は、ジョイント４を経由してチューブ１０５につながっており、回復動作で一時的に回復桶２に溜まったインクは、ここには描かれていないポンプ等によりインク吸引口３を介して吸引される。
【００３２】
６は、回復動作で使われたインクがスムーズにインク吸引口３方向に流れるための傾斜部、９はバネ、１０ａ、１０ｂはストッパ、１３は固定部材、１４は回復部材、１４ａ、１４ｂは出っ張り、１５はフレーム、１６は溝部、１０５はチューブ、１０７はインクガイド、１１２はクシ歯である。
【００３３】
キャップ１、回復桶２、インク吸引口３、ジョイント４は、一体の回復部材１４を構成している。前記一体の回復部材１４は、例えば弾性体などの、同一材料を使用した成型した一部品である。
【００３４】
回復部材１４の外側には、フレーム１５が配置されており、回復部材１４は、出っ張り１４ａ、１４ｂでフレーム１５に嵌め合わせられ、長手方向は、両側がフレーム１５の底面に乗る構成となっている。
【００３５】
さらに、回復部材１４の内側には固定部材１３が配置され、下方向に押し付けることにより、回復部材１４はフレーム１５に固定される。
【００３６】
回復部材１４のジョイント４は、フレーム１５の穴から外側に飛び出し、その先に、チューブ１０５が接続されている。
【００３７】
待機状態、あるいは、回復動作の場合、記録ヘッド１１１はキャップ１に当接される。さらに、インクガイド１０７の両端が記録ヘッド１１１に当接され、クシ歯１１２は、記録ヘッド１１１から一定距離（約０.５ｍｍ）を保つことができる。
【００３８】
次に、図３に固定部材周辺の詳細説明断面図、図４に固定部材の平面図を示す。
【００３９】
固定部材１３は、バネ９、インクガイド１０７と共にユニットＦを構成している。
【００４０】
インクガイド１０７は、バネ９で上方に押し上げられ、固定部材１３のストッパ１０ｂと、別部材のストッパ１０ａにより、抜け出ないよう構成される。
【００４１】
さらに、この固定部材１３は、底部の長手方向に溝部１６を備え、その溝部１６の両側の壁は、傾斜部６を持つ。
【００４２】
次に、動作を説明する。
【００４３】
待機状態では、図１、図２（ａ）、図２（ｂ）の状態を維持しており、記録ヘッド１１１は、キャップ１で密閉を保たれている。
【００４４】
回復状態の場合、記録ヘッド１１１から排出されるインクは、一定距離を保たれているインクガイド１０７のクシ歯１１２によって下方に導かれ、固定部材１３の傾斜部６と溝部１６により、インク吸引口３に集められる。
【００４５】
集められたインクは、チューブ１０５の先に配置される図示していないポンプ手段によって吸引され、ジョイント４およびチューブ１０５を介して回収される。
【００４６】
このような構成にすることで、インクのもれが無くなり、かつ、大幅に製造効率をアップすることが可能となる。
【００４７】
（他の実施形態）
図１に示すキャップ１、及び回復桶２を一体の回復部材として構成することにより、キャップ１と回復桶２の接着工程を省略し信頼性を向上させる実施形態も考えられる。
【００４８】
或いは、図１に示す回復桶２及びインク吸引口３、及びジョイント４を一体の回復部材として構成することにより、ジョイント接続工程の省略、インク漏れに対する信頼性を向上させる実施形態も考えられる。
【００４９】
【発明の効果】
以上のように本発明によれば、キャップと回復桶、或いは回復桶とインク吸引口とジョイント、更にはキャップと回復桶とインク吸引口及びジョイントとを一体の回復部材として構成することにより、キャップと回復桶の接着工程の省略、ジョイント接続工程の省略等の、生産効率のアップ、更にはインク漏れに対する信頼性の向上等、優れた記録装置を提供することができる。
【図面の簡単な説明】
【図１】  本発明の構成説明断面図
【図２】  Ｂ−Ｂ線、Ｃ−Ｃ線断面図
【図３】  固定部材周辺の詳細説明断面図
【図４】  固定部材の平面図
【図５】  従来の構成説明断面図
【図６】  Ａ−Ａ線断面図
【符号の説明】
１  キャップ
２  回復桶
３  インク吸引口
４  ジョイント
６  傾斜部
９  バネ
１０ａ、１０ｂ  ストッパ
１３  固定部材
１４  回復部材
１５  フレーム
１６  溝部
１０１  キャップ
１０２  回復桶
１０３  インク吸引口
１０４  ジョイント
１０５  チューブ
１０６  傾斜部
１０７  インクガイド
１０８ａ、１０８ｂ  接着面
１０９  バネ
１１０  ストッパ
１１１  記録ヘッド
１１２  クシ歯
Ｆ  ユニット
【図１】
0004658385.tif 000002
【図２】
0004658385.tif 000003
【図３】
0004658385.tif 000004
【図４】
0004658385.tif 000005
【図５】
0004658385.tif 000006
【図６】
0004658385.tif 000007